(57)【要約】【課題】画像形成装置において、被検出体の検出精度を長期に渡って良好に維持する。【解決手段】管理装置２０の演算部２１は、通信部２５を介して外部装置（画像形成装置）から所定のデータと閾値データとを取得する。続いて演算部２１は、取得したデータと閾値データの差分（Ｖ１−Ｔｈ１）を決められた値（ｄ１）と比較する。この差分が決められた値よりも小さい場合に、演算部２１は閾値データを更新する処理を行い、更新後の閾値データを通信部２５を介して外部装置に送信する。【選択図】図４
2007130839.tif 000002
【特許請求の範囲】
【請求項１】
所定の位置における被検出体の有無を判定する判定装置と、当該判定装置と通信可能な管理装置とを備える管理システムであって、
前記判定装置は、
被検出体を検出する位置に向けて光を照射するとともに、当該位置からの反射光または透過光を受光し、その受光強度を表すデータを供給する検出手段と、
前記検出手段により供給されたデータを、所定の閾値とともに前記管理装置に送信する第１の送信手段と、
前記管理装置から前記所定の閾値と異なる新たな閾値を受信する第１の受信手段と、
前記第１の受信手段により前記新たな閾値が受信された場合には、前記検出手段により供給されたデータを当該新たな閾値と比較する一方、前記第１の受信手段により前記新たな閾値が受信されない場合には、前記検出手段により供給されたデータを前記所定の閾値と比較し、この比較結果に基づいて前記位置における被検出体の有無を判定する判定手段とを備え、
前記管理装置は、
前記判定装置の前記第１の送信手段により送信された前記データと前記所定の閾値とを受信する第２の受信手段と、
前記第２の受信手段により受信された前記データと前記所定の閾値の差分が決められた値より小であるか否かを判断する判断手段と、
前記判断手段により前記差分が決められた値より小であると判断された場合に、前記データとの差分が前記決められた値より大となるような値に前記閾値を更新する更新手段と、
前記更新手段により更新された閾値を新たな閾値として前記判定装置に送信する第２の送信手段と
を備えることを特徴とする管理システム。
【請求項２】
外部装置において用いられる閾値を管理する管理装置であって、
所定の値であるデータと、前記データより小である閾値とを前記外部装置から受信する受信手段と、
前記受信手段により受信された前記データと前記閾値の差分が決められた値より小であるか否かを判断する判断手段と、
前記判断手段により前記差分が決められた値より小であると判断された場合に、前記データより小であり、かつ、前記データとの差分が前記決められた値より大となるような値に前記閾値を更新する更新手段と、
前記更新手段により更新された閾値を新たな閾値として前記外部装置に送信する送信手段と
を備えることを特徴とする管理装置。
【請求項３】
外部装置において用いられる閾値を管理する管理装置であって、
所定の値であるデータと、前記データより大である閾値とを前記外部装置から受信する受信手段と、
前記受信手段により受信された前記データと前記閾値の差分が決められた値より小であるか否かを判断する判断手段と、
前記判断手段により前記差分が決められた値より小であると判断された場合に、前記データより大であり、かつ、前記データとの差分が前記決められた値より大となるような値に前記閾値を更新する更新手段と、
前記更新手段により更新された閾値を新たな閾値として前記外部装置に送信する送信手段と
を備えることを特徴とする管理装置。
【請求項４】
前記更新手段は、前記閾値を前記データと決められた基準値の平均値に更新することを特徴とする請求項２または３に記載の管理装置。
【請求項５】
所定の位置における被検出体の有無を判定する判定装置であって、
被検出体を検出する位置に向けて光を照射するとともに、当該位置からの反射光または透過光を受光し、その受光強度を表すデータを供給する検出手段と、
前記検出手段により供給されたデータを、決められた閾値とともに外部装置に送信する送信手段と、
前記外部装置から前記決められた閾値と異なる新たな閾値を受信する受信手段と、
前記受信手段により前記新たな閾値が受信された場合には、前記検出手段により供給されたデータを当該新たな閾値と比較する一方、前記受信手段により前記新たな閾値が受信されない場合には、前記検出手段により供給されたデータを前記決められた閾値と比較し、この比較結果に基づいて前記位置における被検出体の有無を判定する判定手段と
を備えることを特徴とする判定装置。
【請求項６】
請求項５に記載の判定装置を備えることを特徴とする画像形成装置。
【発明の詳細な説明】
【技術分野】
【０００１】
本発明は、被検出体の検出精度を良好に維持するための技術に関する。
【背景技術】
【０００２】
プリンタ等の画像形成装置においては、用紙の搬送路の特定位置で用紙の有無を検出し、用紙の位置合わせや搬送異常の検知を行うことがある。また、特に昇華型の画像形成装置においては、インクリボンの有無を検出することもある。用紙やインクリボン（以下、これらを総称して「被検出体」という。）の検出には、反射式あるいは透過式の光学センサを用いるのが一般的である（例えば、特許文献１および２参照）。
【０００３】
被検出体の検出を行うときには、被検出体からの反射光ないし透過光の強度をアナログ信号として出力し、これをデジタルデータに変換して所定の閾値と比較し、そのデータの示す値が閾値よりも大きい（あるいは小さい）場合には被検出体が存在する、というような判定を行う。このとき用いられる閾値は、画像形成装置の出荷前に最適な値が選択され、画像形成装置内部のメモリに記憶される。
【特許文献１】特開平７−２３７３０７号公報
【特許文献２】特開平８−２８２０６９号公報
【発明の開示】
【発明が解決しようとする課題】
【０００４】
ところで、被検出体の有無を検出する光学センサは、経時変化によってその出力強度が変動することがある。そのため、同一の被検出体の検出を行ったとしても、新品のときとある程度時間が経過したときとでは、出力強度は必ずしも一定とはならない。このような場合において、例えば、本来は閾値を上回るデータとなるはずの光が閾値を下回るデータとして出力されてしまうほどの変動が生じてしまうと、被検出体の有無を誤判定するおそれがある。しかしながら、従来の画像形成装置においては、このような不都合を解消することができなかった。
【０００５】
本発明は上述の事情に鑑みてなされたものであり、その目的は、画像形成装置において、被検出体の検出精度を長期に渡って良好に維持することを可能にする技術を提供することにある。
【課題を解決するための手段】
【０００６】
上述の目的を達成するために、本発明は、所定の値であるデータと、前記データより小である閾値とを外部装置から受信する受信手段と、前記受信手段により受信された前記データと前記閾値の差分が決められた値より小であるか否かを判断する判断手段と、前記判断手段により前記差分が決められた値より小であると判断された場合に、前記データより小であり、かつ、前記データとの差分が前記決められた値より大となるような値に前記閾値を更新する更新手段と、前記更新手段により更新された閾値を新たな閾値として前記外部装置に送信する送信手段とを備える管理装置を提供する。
あるいは、本発明は、所定の値であるデータと、前記データより大である閾値とを外部装置から受信する受信手段と、前記受信手段により受信された前記データと前記閾値の差分が決められた値より小であるか否かを判断する判断手段と、前記判断手段により前記差分が決められた値より小であると判断された場合に、前記データより大であり、かつ、前記データとの差分が前記決められた値より大となるような値に前記閾値を更新する更新手段と、前記更新手段により更新された閾値を新たな閾値として前記外部装置に送信する送信手段とを備える管理装置を提供する。
このような管理装置によれば、外部装置（例えば、画像形成装置）に設定されている閾値を更新することができる。なお、この場合において、前記閾値を前記データと決められた基準値の平均値に更新する構成であってもよい。
【０００７】
また、本発明は、所定の位置における被検出体の有無を判定する判定装置であって、被検出体を検出する位置に向けて光を照射するとともに、当該位置からの反射光または透過光を受光し、その受光強度を表すデータを供給する検出手段と、前記検出手段により供給されたデータを、決められた閾値とともに外部装置に送信する送信手段と、前記外部装置から前記決められた閾値と異なる新たな閾値を受信する受信手段と、前記受信手段により前記新たな閾値が受信された場合には、前記検出手段により供給されたデータを当該新たな閾値と比較する一方、前記受信手段により前記新たな閾値が受信されない場合には、前記検出手段により供給されたデータを前記決められた閾値と比較し、この比較結果に基づいて前記位置における被検出体の有無を判定する判定手段とを備える判定装置を提供する。
このような判定装置によれば、上述の管理装置のような外部装置が更新した閾値を用いて被検出体の有無を判定することができる。なお、本発明は、この判定装置を備える画像形成装置としても特定され得るものである。
【０００８】
また、本発明は、上述の判定装置と管理装置とを通信可能に接続した管理システムとしても特定され得るものである。すなわち、この管理システムとは、被検出体を検出する位置に向けて光を照射するとともに、当該位置からの反射光または透過光を受光し、その受光強度を表すデータを供給する検出手段と、前記検出手段により供給されたデータを、所定の閾値とともに前記管理装置に送信する第１の送信手段と、前記管理装置から前記所定の閾値と異なる新たな閾値を受信する第１の受信手段と、前記第１の受信手段により前記新たな閾値が受信された場合には、前記検出手段により供給されたデータを当該新たな閾値と比較する一方、前記第１の受信手段により前記新たな閾値が受信されない場合には、前記検出手段により供給されたデータを前記所定の閾値と比較し、この比較結果に基づいて前記位置における被検出体の有無を判定する判定手段とを備える判定装置と、前記判定装置の前記第１の送信手段により送信された前記データと前記所定の閾値とを受信する第２の受信手段と、前記第２の受信手段により受信された前記データと前記所定の閾値の差分が決められた値より小であるか否かを判断する判断手段と、前記判断手段により前記差分が決められた値より小であると判断された場合に、前記データとの差分が前記決められた値より大となるような値に前記閾値を更新する更新手段と、前記更新手段により更新された閾値を新たな閾値として前記判定装置に送信する第２の送信手段とを備える管理装置とを備えるものである。
【発明の効果】
【０００９】
以上のように、本発明によれば、被検出体の検出精度を長期に渡って良好に維持することが可能となる。
【発明を実施するための最良の形態】
【００１０】
以下、本発明の実施の一形態を図面を参照しつつ説明する。図１は、本発明の一実施形態である管理システム１００の全体構成を示した図である。同図に示すように、管理システム１００は、複数の画像形成装置１０と、管理装置２０と、ネットワーク３０とを備える。画像形成装置１０はいわゆる昇華型のプリンタであり、用紙に染料を転写して画像を形成する装置である。管理装置２０はネットワーク３０を介して画像形成装置１０の管理を行うコンピュータである。ネットワーク３０は例えばインターネットであり、画像形成装置１０と管理装置２０との間でのデータの送受信を実現する。
【００１１】
ここで、画像形成装置１０の構成を図２および図３を参照しながら説明する。図２のブロック図に示すように、画像形成装置１０の構成は、シート供給部１１と、インクリボン供給部１２と、転写部１３と、裁断部１４と、検出部１５と、制御部１６と、通信部１７とに大別される。シート供給部１１、インクリボン供給部１２、転写部１３、裁断部１４および検出部１５は、より詳細には、図３に示す構成となっている。
【００１２】
シート供給部１１は、軸１１１と、フィードローラ１１２と、ピンチローラ１１３とを備える。軸１１１はその両端を支持されて回動可能に設けられた棒状の部材であり、長尺のシート状の用紙であるロール紙ＲＰが巻回されている。ロール紙ＲＰは、図３の一点鎖線に沿って搬送される。また、軸１１１は図示せぬ駆動装置により図中の矢印Ａの方向に回転される。フィードローラ１１２は図示せぬ駆動装置により図中の矢印ＢまたはＣの方向に回転されるローラである。ピンチローラ１１３はロール紙ＲＰを介してフィードローラ１１２と対向する回動自在のローラであり、フィードローラ１１２の回転に従動する。フィードローラ１１２とピンチローラ１１３は適当なニップ圧で圧接されており、ローラ表面の摩擦力によってロール紙ＲＰを搬送する。
【００１３】
インクリボン供給部１２は、軸１２１と、巻取ローラ１２２と、支持ローラ１２３、１２４とを備える。軸１２１はその両端を支持されて回動可能に設けられた棒状の部材であり、長尺のフィルム状の記録材であるインクリボンＩＲが巻回されている。インクリボンＩＲにはＹ（イエロー）、Ｍ（マゼンタ）、Ｃ（シアン）の染料またはオーバーコート（以下、これらを総称して「染料等」という。）が塗布されている。ここでオーバーコートとは、ロール紙ＲＰの表面に保護層を形成するためのものである。巻取ローラ１２２は図示せぬ駆動装置により図中の矢印Ｄの方向に回転されるローラであり、その回転に応じてインクリボンＩＲを巻き取る。支持ローラ１２３、１２４はインクリボンＩＲを支持するローラである。なお、インクリボンＩＲは、図３の二点鎖線に沿って搬送される。
【００１４】
転写部１３は、サーマルヘッド１３１とプラテンローラ１３２とを備える。サーマルヘッド１３１は複数の発熱素子を備え、ロール紙との間に介挿されるインクリボンＩＲを加熱する。インクリボンＩＲ表面の染料等は加熱により溶融され、ロール紙ＲＰの表面に転写される。プラテンローラ１３２はサーマルヘッド１３１と適当な間隔を有して配置されるローラであり、転写時におけるサーマルヘッド１３１とロール紙ＲＰの密着性を確保する。
【００１５】
裁断部１４はカッター１４１、１４２を備える。カッター１４１、１４２は互いに噛み合うような位置に設けられており、少なくとも一方が上下動することによりこの位置を通過するロール紙ＲＰを裁断する。裁断されたロール紙ＲＰは画像形成装置１０の外部へと排出される。なお、本実施形態の裁断部４は、ロール紙ＲＰをその搬送方向に直交する方向に裁断するものであるが、ロール紙ＲＰをその搬送方向に沿って裁断するカッターをさらに備える構成であってもよい。
【００１６】
検出部１５はセンサ１５１、１５２を備える。センサ１５１、１５２はともに反射式の光学センサであり、その内部に発光素子と受光素子とを有する。発光素子はロール紙ＲＰの搬送路の所定の位置に光を照射し、受光素子はその反射光を受光する。センサ１５１、１５２は反射光の受光強度に応じた電圧値を表すアナログ信号を制御部１６に出力する。なお、このアナログ信号の単位は「Ｖ（ボルト）」であり、その基準値Ｖ０は０（Ｖ）であるとする。
【００１７】
センサ１５１はロール紙ＲＰの有無を検出するセンサであり、センサ１５２はインクリボンＩＲの有無を検出するセンサである。センサ１５１、１５２は、それぞれ、被検出体からの反射光を受光した場合には正の電圧値Ｖ１、Ｖ２を出力し、そうでない場合には基準値Ｖ０を出力する。なお、電圧値Ｖ１、Ｖ２の値は必ずしも一定ではなく、素子自体の経時変化や被検出体の姿勢によって変動することがある。
【００１８】
制御部１６は、ＣＰＵ（Central Processing Unit）等の演算装置とＥＥＰＲＯＭ（Electronically Erasable and Programmable Read Only Memory）やＲＡＭ（Random Access Memory）等の記憶装置とを備えており、記憶装置に記憶されたプログラムを実行することで上述の各部を制御する。また、制御部１６は、検出部１５から出力されたアナログ信号にＡＤ変換を施し、デジタルデータを生成することができる。さらに、制御部１６はＥＥＰＲＯＭに閾値データＴｈ１、Ｔｈ２を記憶している。閾値データＴｈ１、Ｔｈ２は、センサ１５１、１５２から出力された電圧値Ｖ１、Ｖ２との比較に用いられる値である。閾値データＴｈ１、Ｔｈ２の具体的な値は任意である。
通信部１７は、画像形成装置１０と管理装置２０との間でネットワーク３０を介したデータ通信を可能にするインタフェース装置である。
【００１９】
続いて、管理装置２０の構成を図４のブロック図を参照しながら説明する。管理装置２０は一般的な構成のコンピュータであり、演算部２１と、記憶部２２と、表示部２３と、操作部２４と、通信部２５とを備えている。演算部２１はＣＰＵ等の演算装置であり、記憶部２２に記憶されたプログラムを実行して管理装置２０の各部の動作を制御するほか、画像形成装置１０から送信されたデータに基づいて後述する閾値の更新処理を行う。記憶部２２はＲＯＭやＲＡＭ等の記憶装置であり、上述の更新処理に必要なデータや制御部２１が実行するプログラムを記憶している。表示部２３は液晶ディスプレイ等の表示装置である。操作部２４はキーボードやマウス等の入力装置である。通信部２５は、画像形成装置１０と管理装置２０との間でネットワーク３０を介したデータ通信を可能にするインタフェース装置である。
【００２０】
以上の構成のもと、画像形成装置１０は外部から供給される画像データに基づいた画像をロール紙ＲＰに形成し、これを適当なサイズに裁断して排出する。転写部１３は１回の転写処理で１種類の染料等を転写するので、Ｙ、Ｍ、Ｃの染料およびオーバーコートの全てを転写するためには４回の転写処理を行う。転写処理を行うときには、フィードローラ１１２が図３中の矢印Ｂの方向に回転しながらロール紙ＲＰを搬送しつつ、巻取ローラ１２２が図３中の矢印Ｄの方向に回転しながらインクリボンＩＲを搬送する。その後、ある染料等についての転写処理が終了したときには、フィードローラ１１２が図３中の矢印Ｃの方向に回転しながらロール紙ＲＰを搬送し、次の転写処理に備えさせる。
【００２１】
画像形成に際して、画像形成装置１０はロール紙ＲＰとインクリボンＩＲの有無を判定し、ロール紙ＲＰとインクリボンＩＲの位置合わせを行ったり、搬送異常を判断したりしている。ロール紙ＲＰおよびインクリボンＩＲの有無の判定は、制御部１６が検出部１５からの出力結果を閾値データＴｈ１、Ｔｈ２と比較することによって行っている。
【００２２】
閾値データＴｈ１、Ｔｈ２は、画像形成装置１０の起動時や所定の時間間隔などの適当なタイミングで更新される。閾値データＴｈ１、Ｔｈ２の更新に際しては、画像形成装置１０が電圧値Ｖ１、Ｖ２を表すデジタルデータと閾値データＴｈ１、Ｔｈ２とを管理装置２０に送信する。これらのデータを受信した管理装置２０は、以下に示す要領で閾値データＴｈ１、Ｔｈ２を更新する処理を行う。なお、以下の説明においては、電圧値Ｖ１およびＶ２を表すデジタルデータを単に電圧値Ｖ１およびＶ２という。
【００２３】
図５は、管理装置２０の制御部２１が実行する閾値データＴｈ１の更新処理を示したフローチャートである。同図に沿って説明すると、まず、管理装置２０の演算部２１は、画像形成装置１０が送信する電圧値Ｖ１および閾値データＴｈ１を通信部２５を介して取得する（ステップＳ１）。続いて演算部２１は、ステップＳ１において取得した電圧値Ｖ１と閾値データＴｈ１の差分「Ｖ１−Ｔｈ１」と所定の値ｄ１の大小関係を判断する（ステップＳ２）。なお、値ｄ１は任意の値であり、電圧値Ｖ１、閾値データＴｈ１および基準値Ｖ０の値の関係に基づいて適宜定めればよい。
【００２４】
ステップＳ２の判断において、差分Ｖ１−Ｔｈ１が値ｄ１よりも小であると判断された場合には（ステップＳ２；ＹＥＳ）、演算部２１は閾値データＴｈ１の値を更新する（ステップＳ３）。このとき演算部２１は、閾値データＴｈ１の値を、電圧値Ｖ１との差分が上述の値ｄ１よりも大きくなるような値に更新する。なお、説明の便宜上、更新後の閾値データの値を以下では「Ｔｈａ」とする。
【００２５】
ここで、閾値データＴｈａの具体的な算出方法の一例を示す。例えば、電圧値Ｖ１、閾値データＴｈ１および基準値Ｖ０の各値が図６（ａ）に示すような関係にある場合（ここにおいて、値ｄ１は「Ｖ１−Ｖ０／２」より小であるとする。）、演算部２１は、閾値データＴｈａを電圧値Ｖ１と基準値Ｖ０の平均値とする。更新後の閾値データＴｈａの電圧値Ｖ１および基準値Ｖ０との関係は、図６（ｂ）に示すような関係となる。
【００２６】
閾値データの更新を行ったら、演算部２１は更新後の閾値データＴｈａを画像形成装置１０に送信し、（ステップＳ４）本処理を終了させる。なお、ステップＳ２の判断において、差分Ｖ１−Ｔｈ１が値ｄ１以上であると判断された場合（ステップＳ２；ＮＯ）、これは閾値データＴｈ１が適切な値を維持していることを意味するので、演算部２１は上述のステップＳ３およびＳ４の処理を実行せずに本処理を終了させる。すなわちこのとき、演算部２１は閾値データの更新を実行しない。
【００２７】
以上の処理が行われた場合、画像形成装置１０は、ＥＥＰＲＯＭに記憶された閾値データＴｈ１の値を受信した閾値データＴｈａの値に書き換え、以後は、新たな閾値データＴｈａを用いてロール紙ＲＰの有無を判定する処理を行う。これにより、画像形成装置１０は、センサ１５１の出力強度に変動が生じた場合であっても、ロール紙ＲＰの誤判定を抑制することが可能となる。
【００２８】
なお、上述した閾値データの更新処理は、閾値データＴｈ２に対しても適用可能な処理である。すなわち、閾値データＴｈ１の更新処理と閾値データＴｈ２の更新処理は、用いるデータが異なるのみであって、具体的な手順は同一である。ゆえに、上述した更新処理と同様の処理を閾値データＴｈ２に対して行うことで、画像形成装置１０は、センサ１５２の出力強度に変動が生じた場合であっても、インクリボンＩＲの誤判定を抑制することが可能となる。つまり、本実施形態の管理システム１００によれば、被検出体の検出精度を長期に渡って良好に維持することが可能となる。
【００２９】
また、本実施形態の管理システム１００によれば、画像形成装置１０のセンサ１５１、１５２の出力強度に変動が生じた場合であっても、管理装置２０を用いて遠隔地から閾値データの更新を行うことができるので、画像形成装置１０のメンテナンスを行う者が画像形成装置１０のもとへ直接赴き、閾値データの再設定を行うような必要がない。つまり、本実施形態の管理システム１００によれば、画像形成装置１０のメンテナンスに要する労力を低減することができ、コストの削減に寄与することが可能となる。
【００３０】
以上、本発明に係る好適な実施形態を示して説明したが、本発明はかかる態様に限定されるものではなく、上述の実施形態に対して種々の変形を施して実施することが可能である。例えば、上述の実施形態においては用紙として長尺のロール紙を用い、これを裁断する構成を示したが、あらかじめ裁断されたいわゆるカット紙を用紙として用いる構成であってもよい。また、用紙はいわゆる紙に限定されるものではなく、ＯＨＰシートのようなフィルム状のプラスチックや、その他の材質のシートであってもよい。
【００３１】
また、上述の実施形態においては、閾値の比較対象は電圧値であったが、もちろん電圧値以外の値、例えば電流値や電気抵抗値であってもよい。また、センサも反射式の光学センサに限らず、透過式の光学センサや、光学センサ以外のセンサであってもよい。要するに、本発明は、被検知体の状態を２以上の異なる信号として出力することが可能であれば、被検知体の種類やセンサの種類を特に問わないものである。なお、センサが検知するのは被検出体そのものである必要はなく、例えば、被検出体の表面に描画されている文字や図形であってもよい。
【００３２】
また、上述の実施形態においては、基準値（Ｖ０）の値を「０」、比較対象であるデータ（Ｖ１）を正の値、閾値データ（Ｔｈ１）を上記基準値より大きく上記データより小さい値であるとしたが、本発明はこのような態様に限定されない。例えば、基準値は０でない正の値であることも考えられるし、比較対象であるデータが負の値であることも考えられる。このような場合においては、閾値データを基準値より小さく、かつ、比較対象であるデータより大きい値とすればよい。また、基準値と比較対象であるデータとの間に複数の閾値データが設定される態様であってもよい。
【００３３】
なお、これらの変形を適宜用いることにより、本発明は被検出体の有無の判定のみならず、その他の判定に用いることも可能である。例えば、インクリボンの色を判定したり、あるいは、複数種類の用紙が用いられる場合において、各々の用紙の反射率の違いから用紙の種類を判定したりすることも可能である。また、例えば、用紙がＯＨＰシート等の光を透過する材質である場合であれば、用紙の透過率の違いからいわゆる重送の判定を行うことも可能である。
【図面の簡単な説明】
【００３４】
【図１】本発明の一実施形態に係る管理システムの全体構成を示した図である。
【図２】同実施形態に係る画像形成装置の概略構成を示したブロック図である。
【図３】同実施形態に係る画像形成装置の構成を示した図である。
【図４】同実施形態に係る管理の概略構成を示したブロック図である。
【図５】同管理装置が実行する閾値データの更新処理を示したフローチャートである。
【図６】電圧値、閾値データおよび基準値の関係を例示した図である。
【符号の説明】
【００３５】
１００…管理システム、１０…画像形成装置、１１…シート供給部、１１１…軸、１１２…フィードローラ、１１３…ピンチローラ、１２…インクリボン供給部、１２１…軸、１２２…巻取ローラ、１２３、１２４…支持ローラ、１３…転写部、１３１…サーマルヘッド、１３２…プラテンローラ、１４…裁断部、１４１、１４２…カッター、１５…検出部、１５１、１５２…センサ、１６…制御部、１７…通信部、２０…管理装置、２１…演算部、２２…記憶部、２３…表示部、２４…操作部、２５…通信部、３０…ネットワーク
【図１】
2007130839.tif 000003
【図２】
2007130839.tif 000004
【図３】
2007130839.tif 000005
【図４】
2007130839.tif 000006
【図５】
2007130839.tif 000007
【図６】
2007130839.tif 000008